(57)【要約】【課題】  従来知られた構造のヒーターパネルをコンクリートスラブ面に直貼りして電気式床暖房構造を構築するに際して、その施工コストを大きく低減できるようにした、改良された電源線付き周辺パネルを提供する。【解決手段】  裏面を凹溝４１を有する周辺パネル用木質床材４０ａ〜４０ｄと、ヒーターパネルＡへ電力を供給するための電源線３１と電源線の一端または両端に取り付けたコネクタ３２とからなる電源線部材３０ａ〜３０ｄとで、電源線配線セットとする。異なった組み合わせの電源線配線セットを選択的に用いて、異なった形態の電源線付き周辺パネルＣを施工現場で組み付け、それを用いてヒーターパネルＡから壁面に取り付けたコントローラ２１までの配線を行う。【選択図】  図１
2006057965.tif 000002
【特許請求の範囲】
【請求項１】
木質床材の裏面側に少なくとも発熱体として線ヒーターあるいは面ヒーターを備えた電気式床暖房用のヒーターパネルと共に用いる電気式床暖房用の電源線配線セットであって、電源線とその一端または両端に取り付けたコネクタとからなる電源線部材と、該電源線部材を収容する収容部を裏面に有する周辺パネル用木質床材とで構成される電源線配線セット。
【請求項２】
周辺パネル用木質床材は、電源線部材を収容する収容部のパターンが異なる複数種類の木質床材で構成され、電源線部材は木質床材の異なる収容部パターンに対応した長さの電源線を備えた複数種類の電源線部材で構成されることを特徴とする請求項１に記載の電源線配線セット。
【請求項３】
電源線の一方端にのみコネクタを取り付けた電源線部材であって、電源線の長さが周辺パネル用木質床材の収容部に収容したときに当該木質床材の外方にまで延出する長さとされている電源線部材をさらに備えることを特徴とする請求項１または２に記載の電源線配線セット。
【請求項４】
木質床材の裏面側に少なくとも発熱体として線ヒーターあるいは面ヒーターを備えた電気式床暖房用のヒーターパネルと、請求項１〜３に記載のいずれかの電気式床暖房用の電源線配線セットとを少なくとも備えることを特徴とする電気式床暖房用キット。
【請求項５】
請求項４に記載の電気式床暖房用キットを用いた電気式床暖房の施工方法であって、
複数枚のヒーターパネルを電気的に接続した状態で敷き詰める工程、電源線配線セットを構成する電源線部材と周辺パネル用木質床材とを適宜組み合わせて１種以上の電源線付き周辺パネルを造る工程、該１種以上の電源線付き周辺パネルを適宜組み合わせかつ電気的に接続しながら、電源線付き周辺パネルの電源線で構成される回路の一端をヒーターパネルの電気回路に接続し、他端を建物の電力供給源に接続する工程、を少なくとも有することを特徴とする電気式床暖房の施工方法。
【発明の詳細な説明】
【技術分野】
【０００１】
本発明は、発熱体として線ヒーターあるいはＰＴＣヒーターのような面ヒーターを備えた電気式のヒーターパネルを用いて床暖房施工をするときに用いる電源線配線セットと、それを用いた床暖房の施工方法に関する。
【背景技術】
【０００２】
木質床材の裏面側に線ヒーターや面ヒーターを組み込んだヒーターパネルを用いて、電気式の床暖房構造を施工することは知られている（特許文献１、特許文献２参照）。図７にバッカー材などを取り除いた状態のヒーターパネルの背面図を、図８に施工後での床暖房構造の断面図を示すように、通常、ヒーターパネルＡは、合板などである木質床材１の裏面に一定パターンに凹溝２が形成され、そこに線ヒーター３が埋め込まれると共に、線ヒーター３に電気的に接続する雄コネクタ４、雌コネクタ５がやはり木質床材１の裏面に形成した凹部６内に配置されている。また、サーモスタット７が配置され、安全性を確保している。木質床材１の裏面にはアルミ箔などからなる均熱層８が形成され、かつバッカー材９が積層される。
【０００３】
上記した構成の発熱体付きヒーターパネルＡを用いて電気式の床暖房構造を施工する場合の一例を図９、図１０を用いて説明する。図９において、Ａは上記のヒーターパネルＡを示している（図１０ｂも参照。なお、図７では階段状に組み込まれたヒーターパネルＡを示したが、図８では全体として矩形状のピースとしてヒーターパネルＡを示している）。Ａ１は貼り出し用ヒーターパネルと呼ばれるものであり、発熱体を備え、図で下側の側辺に雌コネクタ５のみが備えられる（図１０ａも参照）。Ａ２は貼りじまい用ヒーターパネルと呼ばれるものであり、発熱体を備え、雄コネクタ４が図で上側の側辺に備えられ、下側の側辺には発熱体へ電力を供給する電源線２２が直接接続されている（図１０ｃも参照）。Ｂは周辺パネルと呼ばれるものであり、発熱体を備えない通常のフローリングで用いられる木質床材が用いられる。
【０００４】
施工に際し、図９に示すように、大引き１０や根太１１を持つ床下地構造の場合には、根太１１、１１間に発泡樹脂のような断熱材１２を入れ、その上に下地合板１３を不陸のないように貼り付ける。貼り出し用ヒーターパネルＡ１とヒーターパネルＡとをコネクタ４、５を接続しながら下地合板１３に貼り付け、また必要な周辺パネルＢも貼り付ける。次に、貼りじまい用ヒーターパネルＡ２を取り付け、そこから延出する電源線２２を下地合板１３の裏を通して壁面２０まで引き出すか、下地合板１３の下に別途埋め込んだ電源線用ＣＤ管（不図示）を通過させて壁面２０まで引き出し、その近傍であるいは壁面２０の裏側で、結線工事や壁面に取り付けたコントローラ２１への接続などを行う。
【０００５】
【特許文献１】特開２０００−１７９８７６号公報
【特許文献２】特開２０００−３２０８４５号公報
【発明の開示】
【発明が解決しようとする課題】
【０００６】
床下地が集合住宅のようにコンクリートスラブの場合には、ヒーターパネルや周辺パネルをコンクリートスラブ面に接着剤を用いて直貼りすることができる。しかし、貼りじまい用ヒーターパネルＡ２から延出する電源線２２を収容する空間（凹溝など）をコンクリートスラブ面に形成することが困難なことから、直貼り施工は多くは行われない。電源線２２を収容できる適宜の嵩上げ床を形成し、それを床下地として施工することが行われるが、大きな作業量を伴う。このことは、リフォーム等で既存の住宅の床下地面に電気式床暖房施工を後施工として行う場合も同様に生じる。
【０００７】
従来知られたヒーターパネルＡ、Ａ１や貼りじまい用ヒーターパネルＡ２をそのまま用い、コンクリートスラブである床下地に対して、あるいはリフォーム時に既存の床下地の上に、それらを直貼りして床暖房構造を施工することができれば、施工の手間は大きく低減できる。
【０００８】
本発明は上記のような事情に鑑みてなされたものであり、従来知られた構造のヒーターパネルをコンクリートスラブ面や既存の建物の床下地面に直貼りして電気式床暖房構造を容易に構築できるようにするための改良された電気式床暖房用の電源線配線セットと、それを用いた床暖房の施工方法を提供することを目的とする。
【課題を解決するための手段】
【０００９】
上記の課題を解決するために、本発明は、木質床材の裏面側に少なくとも発熱体として線ヒーターあるいは面ヒーターを備えた電気式床暖房用のヒーターパネルと共に用いる電気式床暖房用の電源線配線セットであって、電源線とその一端または両端に取り付けたコネクタとからなる電源線部材と、該電源線部材を収容する収容部を裏面に有する周辺パネル用木質床材とで構成される電源線配線セットを開示する。
【００１０】
また、本発明は、前記電源線配線セットと前記電気式床暖房用のヒーターパネルとを少なくとも備える電気式床暖房用キットも開示する。さらに、前記電気式床暖房用キットを用いた電気式床暖房の施工方法をも開示する。
【００１１】
本発明による電源線配線セットは、個別に製造される電源線部材とそれを裏面に収容する周辺パネル用木質床材とで構成され、該電源線配線セットは、上記のようにヒーターパネルと共に１つの電気式床暖房用キットとしてまとめられて施工現場に搬入される。床暖房施工を行うに際して、作業者は、周辺パネル用木質床材の前記収容部に電源線部材を組み込む作業を行い電源線付き周辺パネルとする。その際に、望ましくは粘着剤テープ等を貼り付けて収納した電源線部材が自然落下するのを防止する。そのようにして造り上げた電源線付き周辺パネルをヒーターパネルと共にコンクリートスラブのような床下地面に敷き詰め、全体を電気的に接続する。それにより電気式床暖房が構築される。電源線とコネクタとで構成される電源線部材は、裏面から飛び出る部分がないようにして周辺パネル用木質床材の裏面に収容されており、コンクリートスラブや既存の床下地の上にそのまま敷設することができる。
【００１２】
本発明による電源線配線セットにおいて、好ましくは、異なったパターンの電源線部材収容部を裏面に持つ複数種類の周辺パネル用木質床材と、前記異なった収容部パターンに対応した長さの電源線を備えた複数種類の電源線部材とが、一つのセットとしてまとめられる。施工現場の状況に応じて、最適の組み合わせが選択される。電源線部材収容部のパターンとしては、例えば、周辺パネル用木質床材の長辺または短辺に沿う直線状のパターン、周辺パネル用木質床材の長辺と短辺の双方に沿うように十文字状としたパターン、一端を長辺側に他方の短辺側に開放したＬ字状パターン、などが挙げられる。各パターンにおいて、長辺または短辺に開放する部分は、電源線部材のコネクタを収容できるコネクタ収容凹部とされる。
【００１３】
本発明による電源線配線セットにおいて、好ましくは、電源線の一方端にのみコネクタを取り付けた電源線部材であって、電源線の長さが周辺パネル用木質床材の収容部に収容したときに当該周辺パネル用木質床材の外方にまで延出する長さとされている電源線部材をさらに備えるようにする。この形態の電源線部材を持つことにより、電源線の外方への延出部を利用して、電源線付き周辺パネルの電源線で構成される回路の他端をコントローラのような建物の電力供給源に接続することが容易となり、電気式床暖房の施工が容易となる。
【００１４】
本発明による電気式床暖房の施工方法では、コンクリートスラブや既存の床下地を含む任意の床下地面に対して、従来法と同様にして、従来のヒーターパネル（貼り出し用ヒーターパネルとヒーターパネル）を電気的に接続しながら貼り付ける。また、必要箇所に周辺パネルも貼り付ける。そして、敷き詰めたヒーターパネル群に形成される電気回路への電力取り入れ口となる端子を備えたヒーターパネルと、建物側の電力供給源近傍の壁面との間を、本発明による各形態の電源線配線セットを選択的に適宜組み合わせて所要形態の電源線付き周辺パネルを造りながら、かつコネクタ同士を接続しながら、電源線付き周辺パネルを敷き詰める。敷き詰めた電源線付き周辺パネルの電源線部材で構成される電源線の一端をヒーターパネル側の電力取り入れ口となる端子に接続し、他端を建物の電力供給源あるいはコントローラ等に結線することにより、施工は終了する。
【発明の効果】
【００１５】
上記のように、本発明による電気式床暖房キット（電源線配線セットとヒーターパネルとを少なくとも備えている電気式床暖房用キット）を用いることにより、床下地がコンクリートスラブの場合であっても、特に電源線収容用の空間を形成する作業等を行うことなく、容易に電気的床暖房の施工を行うことができる。また、異なった形態の電源線配線セットを組み合わせて用いるので、施工しようとする床面の平面形状や建物側の電力源あるいはコントローラの位置等の制約を受けることなく、その施工を終えることができる。さらに、単にコネクタ同士の接続により必要な床下地上での配線を終えることができるので、電気工事士でなくても所要の配線を行うことができる。
【発明を実施するための最良の形態】
【００１６】
以下、本発明を図面を参照しながら実施の形態に基づき説明する。図１は本発明にかかる電気式床暖房用キットを用いて施工された電気式直貼り床暖房構造の一例を模式的に示している。図２〜図５は本発明による電源線部材と周辺パネル用木質床材を用いて造られる電源線付き周辺パネルの幾つかの例を説明する図であり、図６は用いる電源線部材のいくつかの例を説明する図である。
【００１７】
図１に示す電気式直貼り床暖房構造において、Ｓはコンクリートスラブであり、その上に、図１０に示した、貼り出し用ヒーターパネルＡ１、ヒーターパネルＡ、および周辺パネルＢが直貼りされている。本発明による施工方法では、前記した貼りじまい用ヒーターパネルＡ２は使用せず、代わりに、施工現場において以下に説明する「電源線付き周辺パネル」を組み付けながら、敷設していく。
【００１８】
電源線付き周辺パネルＣは、電源線部材３０と周辺パネル用木質床材４０とからなる電源線配線セットを用いて、組み付けられる。周辺パネル用木質床材４０は裏面に電源線部材３０を収容するための収容部を有しており、図２ａ〜図２ｃ、図３ａ、図４ａ、図５ａに示すように、異なったパターンの収容部を持つ複数の周辺パネル用木質床材４０（４０ａ〜４０ｄ）が、通常一つのセットとされる。電源線部材３０は電源線３１とその一方端または両端に取り付けたコネクタ３２とで構成されており、図６ａ〜図６ｄに示すように、前記収容部４１のパターンに応じた長さと形状の複数の電源線部材３０（３０ａ〜３０ｄ）が、通常一つのセットとされ、上記周辺パネル用木質床材４０のセットと組み合わされて、電源線配線セットとされ、施工現場に持ち込まれる。
【００１９】
周辺パネル用木質床材４０について説明する。裏面に形成する収容部、は電源線部材３０の電源線３１を収容する凹溝４１とコネクタ３２を収容するコネクタ収容凹部４２とで構成される。また、必須のものではないが、周囲には接合用の雄実４３と雌実４４を有している。図２ａ〜図２ｃに示す周辺パネル用木質床材４０ａでは、凹溝４１はその長辺に平行な第１凹溝４１ａとそれに十文字状に交叉する短辺に平行な第２凹溝４１ｂとで形成されており、各凹溝が長辺あるいは短辺に開放する部分は前記コネクタ３２の収容凹部４２とされている。図３ａに示す周辺パネル用木質床材４０ｂは、凹溝４１は長辺に平行な第１凹溝４１ａのみであり、その両端部にコネクタ収容凹部４２、４２が形成されている。図４ａに示す周辺パネル用木質床材４０ｃでは、凹溝４１は短辺に平行な第２凹溝４１ｂのみであり、その両端部にコネクタ収容凹部４２、４２が形成されている。図５ａに示す周辺パネル用木質床材４０ｄでは、凹溝４１は長辺に平行な第１凹溝４１ａの一部と短辺に平行な第２凹溝４１ｂの一部を組み合わせて形成されており、それぞれの端部にコネクタ収容凹部４２、４２が形成されている。
【００２０】
前記のように、電源線部材３０は電源線３１とコネクタ３２とからなり、異なった長さと形状のものが用意される。図６ａに示す電源線部材３０ａは、電源線３１の長さがほぼ周辺パネル用木質床材４０の長辺の長さの半分と短辺の長さの半分とを加算した長さであり、その両端にコネクタ３２ａ、３２ｂを取り付けている。図６ｂに示す電源線部材３０ｂは、電源線３１の長さがほぼ周辺パネル用木質床材４０の長辺の長さであり、その両端にコネクタ３２ａ、３２ｂを取り付けている。図６ｃに示す電源線部材３０ｃは、電源線３１の長さがほぼ周辺パネル用木質床材４０の短辺の長さであり、その両端にコネクタ３２ａ、３２ｂを取り付けている。図６ｄに示す電源線部材３０ｄは、電源線３１はフリーの長さとなっており、その一方端にのみコネクタ３２ａを取り付けている。なお、隣接するパネルとのコネクタ同士の接続を容易にするために、電源線３１を前記した長さよりもやや長めのものとしておいてもよい。長さの余剰分は、接続後に凹溝４１内に吸収されるのでパネルの敷き詰めに不自由が生じることはない。
【００２１】
図１に示す電気式直貼り床暖房構造を構築する場合を例として、施工手順を説明する。
上記した本発明による電源線配線セットと、前記した従来のヒーターパネルＡ，Ａ１（図１０参照）と、必要な場合にはさらに周辺パネルＢとが、本発明でいう「電気式床暖房用木質床材キット」としてまとめられ、それが、施工現場に搬入される。従来と同様にしてヒーターパネルＡ，Ａ１を、コンクリートスラブＳの上に直接、または適宜の緩衝材等を敷き詰めた上に、電気的に接続しながら直貼りする。また、必要な周辺パネルＢも貼り付ける。その後、最も外側に位置するヒーターパネルＡ１Ａ（図１参照）のコネクタ位置と、壁面に取り付けられているコントローラ２１あるいは電源盤２２の位置とを配慮しながら、幾つかの種類の前記した「電源線付き周辺パネル」Ｃの現場組み付けを行う。
【００２２】
図１の例では、破線で示すように電源線Ｐをコンクリートスラブ上に配線した後、壁２０に沿って電源線を立ち上げてコントローラ２１に接続するようにしており、例えば下記に示すような４つの種類の電源線付き周辺パネルＣを必要とする。
【００２３】
図２ｄに示す電源線付き周辺パネルＣ１は、図２ａ〜図２ｃに示した周辺パネル用木質床材４０ａと電源線部材３０ａとの組み合わせであり、電源線３１をＬ字状に折り曲げた姿勢として、第１凹溝４１ａの一部と第２凹溝４１ｂの一部に挿入し、一方のコネクタ３２ａを左辺の短辺中央に形成したコネクタ収容凹部４２に、また他方のコネクタ３２ｂを上方の長辺中央に形成したコネクタ収容凹部４２に収容する。そして、組み付け後に自由に離脱することがないように、その上に粘着テープ５０を貼り付ける等により仮止めして電源線付き周辺パネルＣ１とされている。なお、この態様のものでは、図示しないが、他に、コネクタ３２ａを右辺の短辺中央に形成したコネクタ収容凹部４２に収容した形態、コネクタ３２ｂを下方の長辺中央に形成したコネクタ収容凹部４２に収容した形態等、電源線３１をＬ字状に折り曲げた他の形態の電源線付き周辺パネルＣも造ることもできる。
【００２４】
図３ｃに示す電源線付き周辺パネルＣ２は、図３ａに示した周辺パネル用木質床材４０ｂと電源線部材３０ｂとの組み合わせであり、図３ｂに示すように、第１凹溝４１ａ内に電源線３１を挿入し、両端部のコネクタ３２ａ、３２ｂをコネクタ収容凹部４２、４２に収容した後、その上に、粘着テープ５０を貼り付けて仮止めすることにより、電源線付き周辺パネルＣ２としている。図３ｄに示す電源線付き周辺パネルＣ２１は、図３ａに示した周辺パネル用木質床材４０ｂと電源線部材３０ｄとの組み合わせであり、一端部に取り付けたコネクタ３２ａを一方のコネクタ収容凹部４２に収容した状態で、第１凹溝４１ａ内に電源線３１を挿入し、電源線３１の一部３１ａを周辺パネル用木質床材４０ｂの外側に延出している。
【００２５】
図４ｃに示す電源線付き周辺パネルＣ３は、図４ａに示した周辺パネル用木質床材４０ｃと電源線部材３０ｃとの組み合わせであり、図４ｂに示すように、第２凹溝４１ｂ内に電源線３１を挿入し、両端部のコネクタ３２ａ、３２ｂをコネクタ収容凹部４２、４２に収容し、その上に、粘着テープ５０を貼り付けて仮止めして電源線付き周辺パネルＣ３としている。図４ｄに示す電源線付き周辺パネルＣ３１は、図４ａに示した周辺パネル用木質床材４０ｃと電源線部材３０ｄとの組み合わせであり、一端部に取り付けたコネクタ３２ａを一方のコネクタ収容凹部４２に収容した状態で、第２凹溝４１ｂ内に電源線３１を挿入し、電源線３１の一部３１ａを周辺パネル用木質床材４０ｃの外側に延出している。
【００２６】
図５ｃに示す電源線付き周辺パネルＣ４は、前記した電源線付き周辺パネルＣ１と同じ電源線部材３０の配置パターンを持つ。しかし、周辺パネル用木質床材として、図５ａに示した周辺パネル用木質床材４０ｄを用いている点で、相違している。なお、このことから、図３ｃ、図３ｄに示す電源線部材３０の配置パターンを持つ電源線付き周辺パネルＣ２、Ｃ２１、および図４ｃ、図４ｄに示すに示す電源線部材３０の配置パターンを持つ電源線付き周辺パネルＣ３、Ｃ３１も、図２に示した周辺パネル用木質床材４０ａを用いて造ることができることがわかる。従って、周辺パネル用木質床材として図２ａ〜図２ｃに示した周辺パネル用木質床材４０ａのみと、電源線部材３０ａ〜３０ｄでもって、電源線配線セットを構成しても、所期の目的は達成可能であり、パーツの共通化を図ることが可能となる。
【００２７】
上記のようにして組み付けた電源線付き周辺パネルＣのうち、最も外側に位置するヒーターパネルＡ１Ａに対して、電源線付き周辺パネルＣ３（図４ｂ）を選択し、そのコネクタ３２ａをヒーターパネルＡ１Ａに接続しながら、コンクリートスラブＳに敷き詰める。その外側（長辺に沿う側）に、電源線付き周辺パネルＣ１（図２ｄ）または電源線付き周辺パネルＣ４（図５ｃ）を選択し、そのコネクタ３２ａを電源線付き周辺パネルＣ３のコネクタ３２ｂと接続して敷き詰める。さらに、電源線付き周辺パネルＣ１の短辺側に、電源線付き周辺パネルＣ２（図３ｂ）を、そのコネクタ３２ｂと電源線付き周辺パネルＣ１の短辺側のコネクタ３２ａとを接続して敷き詰める。
【００２８】
それにより、図１に示す例では、壁面に取り付けたコントローラ２１の直下の位置に、幅は電源線付き周辺パネルＣの１枚分の幅であるが、長さは１枚分の長さよりも短い長さの空きスペースＳ１が、最後に残る。そこで、作業者は、電源線付き周辺パネルＣ２１（図３ｄ）を選択し、前記空きスペースＳ１と同じ長さに周辺パネル用木質床材４０ｂを切断して、電源線付き周辺パネルＣ２１ａとする。そして、電源線付き周辺パネルＣ２１ａのコネクタ３２ａを電源線付き周辺パネルＣ２のコネクタ３２ｂに接続して、電源線付き周辺パネルＣ２１ａを空きスペースＳ１に敷設する。その後、外部に延出している電源線部分３１ａの他端を壁面に取り付けたコントローラ２１に接続することにより、電気式床暖房用の木質床材の敷設と、所要の電気的接続とは終了する。
【００２９】
なお、図１の施工態様では、幅は床暖房用周辺パネルＣの１枚分の幅であるが、長さは１枚分の長さよりも短い長さの空きスペースＳ１が最後に残る場合を説明したが、施工現場によっては、幅が電源線付き周辺パネルＣの１枚分の幅に満たない空きスペースが壁面に沿って残る場合もおこる。その場合には、図示しないが、長手方向に沿って所要幅となるように切断した各電源線付き周辺パネルＣを適宜選択して用いればよい。また、施工現場によっては、図１での電源線付き周辺パネルＣの外側にさらにスペースが残る場合もありうるが、その場合には、そのスペースに通常の周辺パネルＢを敷き込めばよい。
【図面の簡単な説明】
【００３０】
【図１】本発明にかかる電気式床暖房用木質床材キットを用いて施工された電気式直貼り床暖房構造の一例を示す模式図。
【図２】本発明による電源線配線セットで使用する周辺パネル用木質床材の一例を示す平面図（図２ａ）、背面図（図２ｂ）、図２ａのｃ−ｃ線による断面図（図２ｃ）、およびそれを用いて組み付けられた電源線付き周辺パネルの一形態を示す背面図（図２ｄ）。
【図３】周辺パネル用木質床材と電源線付き周辺パネルの他の形態を説明する図。
【図４】周辺パネル用木質床材と電源線付き周辺パネルのさらに他の形態を説明する図。
【図５】周辺パネル用木質床材と電源線付き周辺パネルのさらに他の形態を説明する図。
【図６】電源線部材の幾つかの形態を示す図。
【図７】線ヒーターを用いたヒーターパネルの一例を示す背面図。
【図８】従来のヒーターパネルを下地合板の上に貼り付けた状態を断面で示す図。
【図９】下地合板の上にヒーターパネルを貼り付けて電気式床暖房とする一例を示す図。
【図１０】電気式床暖房に用いる床木質床材のいくつかの例を示しており、図１０ａは貼り出し用ヒーターパネル、図１０ｂはヒーターパネル、図１０ｃは貼りじまい用ヒーターパネルを示す。
【符号の説明】
【００３１】
Ａ，Ａ１…ヒーターパネル、Ｂ…周辺パネル、Ｃ（Ｃ１〜Ｃ４、Ｃ２１、Ｃ３１）…電源線付き周辺パネル、２１…コントローラ、３０（３０ａ〜３０ｄ）…電源線部材、３１…電源線、３２（３２ａ、３２ｂ）…コネクタ、４０（４０ａ〜４０ｄ）…周辺パネル用木質床材、４１（４１ａ、４１ｂ）…凹溝、４２…コネクタ収容凹部、５０…粘着テープ、Ｓ…コンクリートスラブ
【図１】
2006057965.tif 000003
【図２】
2006057965.tif 000004
【図３】
2006057965.tif 000005
【図４】
2006057965.tif 000006
【図５】
2006057965.tif 000007
【図６】
2006057965.tif 000008
【図７】
2006057965.tif 000009
【図８】
2006057965.tif 000010
【図９】
2006057965.tif 000011
【図１０】
2006057965.tif 000012